(57)【要約】【課題】寸法誤差や組み付け誤差の影響を少なくすることにより、アークガスが他極に流れ込むことを少なくした配線用遮断器を提供する。【解決手段】左右一対の外壁２，２により構成されるケース１の内部に中間隔壁３を配置した２極型の配線用遮断器において、一方の外壁２と中間隔壁３との間に形成した摺動ガイド部９に、各極の可動接触子５を連動動作させる駆動部材８を摺動自在に保持させた。摺動ガイド部９には開口部を設け、他方極側の可動接触子を通過させる。なお、駆動部材８の可動接触子保持部よりも開極方向側に、アークガスを受けるガス作用板１５を設けることが好ましい。【選択図】    図１
2006236732.tif 000002
【特許請求の範囲】
【請求項１】
左右一対の外壁により構成されるケース内部に中間隔壁を配置した配線用遮断器において、各極の可動接触子を連動動作させる駆動部材を、一方の外壁と中間隔壁との間に摺動自在に保持させたことを特徴とする配線用遮断器。
【請求項２】
中間隔壁に駆動部材の摺動ガイド部と、他方極側の可動接触子を連動動作させるための開口部とを設けたことを特徴とする請求項１記載の配線用遮断器。
【請求項３】
摺動ガイド部は中間隔壁を一方極側にくぼませて設けるとともに、摺動ガイド部の可動接触子の動作範囲対応位置に開口部を設けたことを特徴とする請求項２記載の配線用遮断器。
【請求項４】
摺動ガイド部を箱状に設けるとともに、開口部は摺動ガイド部の３面に設けられ、摺動ガイドを他方極側の可動接触子が通過するように構成したことを特徴とする請求項３記載の配線用遮断器。
【請求項５】
駆動部材の可動接触子保持部よりも開極方向側に、アークガスを受けるガス作用板を設けたことを特徴とする請求項１に記載の配線用遮断器。
【発明の詳細な説明】
【技術分野】
【０００１】
本発明は、左右一対の外壁により構成されるケース内部を中間隔壁で区画した２極型の配線用遮断器に関するものである。
【背景技術】
【０００２】
従来の２極型の配線用遮断器は、特許文献１に示されるように、左右一対の外壁と各極の可動接触子の間に絶縁用の中間隔壁を配置し、ハンドルによる動作や引き外し部材による動作により、各極の可動接触子を駆動部材によって連動動作させる構造となっている。この駆動部材は両側の外壁に支持され、中間隔壁を通過して各極の可動接触子を保持している。一方の極の引き外しによるアークガスが他方極に流れないように、駆動部材が中間隔壁を通過する箇所には重なり合い部を設けてある。
【０００３】
しかし、駆動部材はケースの両外壁に係合され、中間隔壁を構成する中間ケースも外壁によって固定されているので、製品の寸法誤差や組み付け精度により影響を受けるため、駆動部材の動作に支障をきたさないように駆動部材と中間ケースとの重なり合う部分にクリアランスが必要となり、場合によっては隙間が発生することがあった。そして、隙間が発生すると短絡時のアークガスが他極に流れ込み異極間での絶縁劣化を生じる恐れがあった。
【特許文献１】特開２００３−３４６６３０号公報
【発明の開示】
【発明が解決しようとする課題】
【０００４】
本発明は上記した従来の問題点を解決し、寸法誤差や組み付け誤差の影響を少なくすることにより、アークガスが他極に流れ込むことを少なくした配線用遮断器を提供するためになされたものである。
【課題を解決するための手段】
【０００５】
上記の課題を解決するためになされた本発明は、左右一対の外壁により構成されるケース内部に中間隔壁を配置した配線用遮断器において、各極の可動接触子を連動動作させる駆動部材を、一方の外壁と中間隔壁との間に摺動自在に保持させたことを特徴とするものである。
【０００６】
なお、中間隔壁に駆動部材の摺動ガイド部と、他方極側の可動接触子を連動動作させるための開口部とを設けた構造とすることが好ましく、摺動ガイド部は中間隔壁を一方極側にくぼませて設けるとともに、摺動ガイド部の可動接触子の動作範囲対応位置に開口部を設けた構造とすることが好ましい。また、摺動ガイド部を箱状に設けるとともに、開口部は摺動ガイド部の３面に設けられ、摺動ガイドを他方極側の可動接触子が通過するように構成することが好ましく、駆動部材の可動接触子保持部よりも開極方向側に、アークガスを受けるガス作用板を設けることが好ましい。
【発明の効果】
【０００７】
本発明の配線用遮断器は、各極の可動接触子を連動動作させる駆動部材を、一方の外壁と中間隔壁との間に摺動自在に保持させたものであるので、駆動部材と中間隔壁との間の問題となるような隙間を最小限にすることができ、寸法誤差や組み付け誤差による影響を受けにくいので、アークガスが他極に流れ込むことが少ない。また、中間隔壁に駆動部材の摺動ガイド部と、他方極側の可動接触子を連動動作させるための開口部とを設けておけば、駆動部材の摺動を的確にガイドするとともに、他方極側の可動接触子を連動動作させることができる。
【０００８】
なお、請求項５のように駆動部材にガス作用板部を設ければ、アークガスはガス作用板に吹き付けられ、駆動部材の開極動作を助けて開極速度を加速させることとなり、遮断性能を向上させることができる。
【発明を実施するための最良の形態】
【０００９】
次に、本発明の好ましい実施の形態を図面に基づいて詳細に説明する。
図１において、１は左右一対の外壁２，２により構成されるケースであり、その中央部に中間隔壁３が配置されてケース内部を２極分のスペースに区画している。図２と図３は中間隔壁３の両側の各極を示した図であり、図２が電圧極側、図３が中性極側である。各極ごとに固定接触子４と可動接触子５とがそれぞれ組み付けられている。
【００１０】
図４と図５は中間隔壁３のみを示した図である。これらの図に示されるように、中間隔壁３には上下方向に延びる摺動ガイド部６が形成されている。この摺動ガイド部６は、後述する駆動部材を摺動自在にガイドするためのもので、中間隔壁３の端部を片側（他極側）に向けて箱型に窪ませたものである。この摺動ガイド部６には、図４、図８に示されるように可動接触子５の動作範囲対応位置の３面を切欠して、開口部７が透設されている。なお、この開口部７は駆動部材によって封鎖されるので、２極間の絶縁性が損なわれることはない。
【００１１】
この摺動ガイド部６の内部には、各極の可動接触子５，５を連動動作させる駆動部材８が上下方向に摺動自在に保持されている。駆動部材８は図６〜図８に示されるように、中央の柱状体９の下部両側に角型の突出部１０，１１を突設したもので、一方の突出部１０を摺動ガイド部６にはめ込み、上下に摺動できるようになっている。なお他方の突出部１１は図８に示されるように、他極側の外壁２の内面により摺動自在に支持されている。
【００１２】
これらの突出部１０，１１には、各極の可動接触子５を通すためのスリット状の可動接触子保持部１２が形成されており、駆動部材８が摺動ガイド部６の内部を昇降すると、各極の可動接触子５を同時に開閉できる構造となっている。また駆動部材８の下部には駆動部材８を上方に付勢するコイルばね１３が配置されている。コイルばね１３の他端は中間隔壁４の底面に当接されている。
【００１３】
図６に示されるように、駆動部材８の可動接触子保持部１２よりも開極方向側に、垂辺１４を備えたガス作用板１５が設けられている。ガス作用板１５は開極時に発生するアークガス流を受けて駆動部材８を開極方向に付勢し、開極速度を加速させるものである。ガス作用板１５が設けられている側の極は外壁２と中間隔壁３と駆動部材８とで囲まれた空間部を構成しており、特にアークガスの圧力方向には、中間隔壁３の囲い辺１６によりガスの逃げ場を塞いでいる。
【００１４】
ケース１の上部には、公知のハンドル２０及び引き外し機構２１が収納されている。駆動部材８の柱状体９の上端はこれらと連動するリンク２２のラッチ２３の下面と接しており、ラッチ２３が回転するとコイルばね１３により上方に動かされ、各極の可動接触子５を同時に開くようになっている。
【００１５】
このように構成された本発明の配線用遮断器は、配電盤などに組み込んで使用されるもので、過電流により引き外し機構２１が作動すると、駆動部材８の柱状体９をコイルばね１３に抗して押し下げていたラッチ２３が急速に動き、駆動部材８はコイルばね１３の弾発力により急速上昇することとなる。
【００１６】
すると図９に示されるように、駆動部材８の突出部１０，１１の可動接触子保持部１２により可動接触子５は上昇し、固定接触子４から開離することとなる。前記したように駆動部材８は両側に突出部１０，１１を備えており、図８に示されるように一方の突出部１１は摺動ガイド部６の開口部７の部分で他極側の可動接触子５に係合しているから、他極側の可動接触子５も同時に解放される。
【００１７】
また、開極動作により発生したアークガスは中間隔壁３と駆動部材８および外壁２とにより形成される空間部に噴出し、囲い辺１６により駆動部材８のガス作用板１５に導かれることとなる。このアークガス流により駆動部材８の上昇速度は加速され、素早い開極動作が行われることとなる。なお、このガス作用板１５は１００Ｖタイプの配線用遮断器では電圧極側に配置する。
【００１８】
このようにしてガス作用板１５の方向に流れたアークガスはガス作用板１５の端部側に位置するリリースレバー２４と外壁２との間を通ってケース外に放出される。
【００１９】
このように、本発明の配線用遮断器では２極を同時に開閉する駆動部材８を、一方の外壁２と中間隔壁３との間に摺動自在に保持させた構造としたので、駆動部材８と中間隔壁３との間の問題となるような隙間を最小限にすることができ、寸法誤差や組み付け誤差による影響を受けにくいので、アークガスが他極に流れ込むことが少ない。また駆動部材８は中間隔壁３を一方極側にくぼませた摺動ガイド部６の内部にはめ込まれており、組み付け性及び収まりがよく、的確にガイドされる。
【００２０】
なお上記の実施形態では中間隔壁３をくぼませて駆動部材８の摺動ガイド部６を設けたが、中間隔壁３を突出させ駆動部材８をくぼませてガイドさせる構造としてもよい。また駆動部材８が中間隔壁３の開口部から突出して他極側の可動接触子５を保持できるようにしてもよい。
【図面の簡単な説明】
【００２１】
【図１】本発明の好ましい実施形態を示す一部切欠斜視図である。
【図２】電圧極側から見た正面図である。
【図３】中性極側から見た背面図である。
【図４】中間隔壁の斜視図である。
【図５】中間隔壁を裏側から見た背面図である。
【図６】駆動部材の斜視図である。
【図７】駆動部材を裏側から見た背面図である。
【図８】摺動ガイド部に駆動部材をはめ込んだ状態の縦断面図である。
【図９】トリップ状態を示す一部切欠斜視図である。
【符号の説明】
【００２２】
１  ケース
２  外壁
３  中間隔壁
４  固定接触子
５  可動接触子
６  摺動ガイド部
７  開口部
８  駆動部材
９  柱状体
１０  突出部
１１  突出部
１２  可動接触子保持部
１３  コイルばね
１４  垂辺
１５  ガス作用板
１６  囲い辺
２０  ハンドル
２１  引き外し機構
２２  リンク
２３  ラッチ
２４  リリースレバー
【図１】
2006236732.tif 000003
【図２】
2006236732.tif 000004
【図３】
2006236732.tif 000005
【図４】
2006236732.tif 000006
【図５】
2006236732.tif 000007
【図６】
2006236732.tif 000008
【図７】
2006236732.tif 000009
【図８】
2006236732.tif 000010
【図９】
2006236732.tif 000011